(57)【要約】【課題】  本発明では、載置面積を調整可能なパレットであって、部品が損傷した場合でも容易に損傷した部品だけを新たな部品と交換することが可能なパレットを提供する。【解決手段】  載置面積を調整することが可能なパレットであり、把持梁と、把持梁から垂直に伸びる互いに平行な２以上の支持梁と、支持梁に設けられた第１係合部および第２係合部とを備えるスライドフレームと、支持梁と側面で当接する案内梁と、案内梁の上側に段違いに固定された上側補助梁と、上側補助梁よりも外側において案内梁の下側に段違いに固定された下側補助梁と、第１被係合部と、第２被係合部とを備えている。スライドフレームはベースフレームに対して摺動可能であり、スライドフレームを引出して展開した状態で第１係合部と第１被係合部が係合し、スライドフレームを押込んで収容した状態で第２係合部と第２被係合部が係合する。【選択図】  図１
2006282205.tif 000002
【特許請求の範囲】
【請求項１】
載置面積が調整可能なパレットであって、スライドフレームとベースフレームを備え、
(1)前記スライドフレームは、
(1-1)把持梁と、
(1-2)一方の端部が把持梁に固定され、把持梁の伸びる方向に対して垂直に伸び、互いに平行な２以上の支持梁と、
(1-3)支持梁に設けられた第１係合部と、
(1-4)支持梁に設けられた第２係合部を備え、
(2)前記ベースフレームは、
(2-1)前記支持梁と側面で当接し、スライドフレームの側方への移動を規制する、互いに平行な２以上の案内梁と、
(2-2)案内梁の上側に段違いに固定され、案内梁と交差する方向に伸びる上側補助梁と、
(2-3)上側補助梁よりも外側において案内梁の下側に段違いに固定され、案内梁と交差する方向に伸びる下側補助梁と、
(2-4)前記第１係合部に対応する第１被係合部と、
(2-5)前記第２係合部に対応する第２被係合部を備え、
前記支持梁は、前記案内梁と上側補助梁と下側補助梁に当接した状態で、ベースフレームに対して摺動可能であって、
スライドフレームをベースフレームから引出して展開した状態で第１係合部と第１被係合部が係合し、
スライドフレームをベースフレームに押込んで収容した状態で第２係合部と第２被係合部が係合する
ことを特徴とするパレット。
【請求項２】
前記支持梁の一方の端部が、把持梁の下側に段違いに固定されていることを特徴とする請求項１のパレット。
【請求項３】
前記把持梁に、手持ち表示を備えることを特徴とする請求項２のパレット。
【請求項４】
(3)フレーム載置台をさらに備え、そのフレーム載置台は、
(3-1)前記下側補助梁が嵌合する溝を備えるフレーム載置面と、
(3-2)フレーム載置面の周囲に立設され、付け根で折畳み可能である支柱を備え、
スライドフレームを収容したベースフレームをフレーム載置面に載置すると、折畳んだ支柱が前記把持梁と係合し、スライドフレームの移動を規制することを特徴とする請求項１のパレット。
【請求項５】
２以上のスライドフレームを備える請求項１のパレットであって、
(4)ベースフレームを支点として一方のスライドフレームと他方のスライドフレームを連結するリンクをさらに備え、
前記リンクは、一方のスライドフレームと他方のスライドフレームを協動させるものであり、一方のスライドフレームがベースフレームに押込まれる場合には他方のスライドフレームもベースフレームに押込まれ、一方のスライドフレームがベースフレームから引出される場合には他方のスライドフレームもベースフレームから引出されることを特徴とするパレット。
【発明の詳細な説明】
【技術分野】
【０００１】
本発明は、載置面積を調整することができるパレットに関する。
【背景技術】
【０００２】
一般に、貨物の運搬および格納用の荷台としてパレットが広く普及しており、このようなパレットの上に載置した貨物を、フォークリフト等によってパレットごと運搬し、倉庫内に格納するといった荷役作業が日常的に行われている。しかしながら、パレット上に載置する貨物の大きさは大小さまざまであるにも関わらず、従来より一般的に使用されているパレットはその載置面積が一定であった。そのため、貨物の運搬や格納を効率的に行うには、貨物の大きさに応じた載置面積を有するパレットを予め多種類用意しておいて、必要に応じてパレットを交換しなければならず、非常に煩わしい作業を必要としていた。
【０００３】
そこで、載置面積を調整することができるパレットが提案されている。
特許文献１には、載置台と横スライド部を備えるパレットが開示されている。このパレットは、載置台に角型パイプで形成した床部材を備え、横スライド部に丸型パイプで形成した横スライド部材を備えている。このパレットは、床部材の角型パイプに横スライド部材の丸型パイプを挿入してスライドさせ、載置面積を調整し、所望の載置面積となる位置で横スライド部材を床部材に対して固定することができる。このパレットによれば、所望の載置面積に調整した状態で、荷役作業を行うことができる。
特許文献２には、主パレットと補助パレットを備えるパレットが開示されている。主パレットは、所定間隔をあけて平行に設けた２以上の桟と、その桟の上側に段違いに固定された複数の上面部材と、その桟の下側に段違いに固定された複数の下面部材を備えている。補助パレットは、主パレットの桟と平行に且つ主パレットの隣接する桟と桟との間隔よりも狭い間隔で設けた複数の補助桟と、その補助桟の上側に段違いに固定された複数の上面補助部材と、その補助桟の下側に段違いに固定された複数の下面補助部材とを備えている。このパレットでは、補助パレットに設けられた補助桟が主パレットの桟と桟の間に設けられ、その補助桟が主パレットの桟と桟の間を移動可能となるように、補助パレットを主パレットに取り付ける。このパレットによっても、所望の載置面積に調整した状態で、荷役作業を行うことができる。
特許文献３には、複数の分割パレットから構成されるパレットが開示されている。分割パレットは、互いの取付け位置を調整可能であって、頭付部材ないしピンによって位置決めがなされる。このパレットによっても、所望の載置面積に調整した状態で、荷役作業を行うことができる。
【特許文献１】特開平７−２５７５７４号公報
【特許文献２】特開平１１−２９１４５号公報
【特許文献３】実公平７−２００１９号公報
【発明の開示】
【発明が解決しようとする課題】
【０００４】
パレットをフォークリフト等によって運搬する場合に、載置面積の拡張に伴って側方に張出した部分を柱や壁などに引っ掛けたり衝突させたりすることがある。パレットは軽量であるほど好ましいため、一般に載置される荷物を保持するための強度は確保されているものの、衝突に対する強度は確保されていない。従って、衝突によってパレットは損傷する。このようなパレットの損傷は、荷役作業においてしばしば発生する。損傷したパレットをそのまま使用することはできない。損傷した部品を新たな部品と交換するか、パレットそのものを新たなパレットと交換する必要がある。
【０００５】
従来の載置面積を調整可能なパレットでは、部品の交換を容易に行うことができないという課題があった。
特許文献１のパレットの場合、横スライド部を載置台から抜き取ることによって、損傷した部品のみを新たな部品と交換することができる。しかしながら、載置台から横スライド部を抜き出すためには、横スライド部を載置台に対して平行な状態で完全に引出さなければならず、その作業を行うための広いスペースを確保しておかなければならない。また、横スライド部材の丸型パイプや床部材の角型パイプが錆付いた場合に、横スライド部材が床部材に噛み込んでしまい、容易に抜き取ることができない場合がある。
特許文献２のパレットでは、補助パレットが主パレットに対して着脱不能に取付けられているため、損傷した部品のみを交換することは困難である。
特許文献３のパレットでは、例えば１つの分割パレットが損傷した場合に、多数の頭付部材ないしピンを取り外し、損傷した分割パレットを取り外し、新たな分割パレットを用意して、その取付け位置を調整し、頭付部材ないしピンを再び取り付ける必要がある。作業者は治工具を用いて、手間の掛かる作業をしなければならない。
上述のように、従来の載置面積が調整可能なパレットにおいては、容易に着脱が可能なわけではなかった。従って、一部でも損傷したパレットは補修することなく廃棄され、パレットが損傷するたびに新たなパレットを用意して、荷役作業を行っていた。
【０００６】
損傷した部品だけを新たな部品と容易に交換することができれば、パレットごと廃棄することなく、損傷した部品のみを廃棄して、新たな部品で補修したパレットをそのまま使用することができる。費用と資源の無駄を省いて、効率よく荷役作業を実施することができる。
【０００７】
本発明では上記の課題を解決する。本発明では、載置面積を調整可能なパレットであって、部品が損傷した場合でも容易に損傷した部品だけを新たな部品と交換することが可能なパレットを提供する。
【課題を解決するための手段】
【０００８】
本発明のパレットは、載置面積を調整することが可能なパレットである。そのパレットは、スライドフレームとベースフレームとを備えている。そのスライドフレームは、把持梁と、一方の端部が把持梁に固定され、把持梁の伸びる方向に対して垂直に伸び、互いに平行な２以上の支持梁と、支持梁に設けられた第１係合部と、支持梁に設けられた第２係合部を備えている。そのベースフレームは、スライドフレームの支持梁と側面で当接し、スライドフレームの側方への移動を規制する、互いに平行な２以上の案内梁と、案内梁の上側に段違いに固定され、案内梁と交差する方向に伸びる上側補助梁と、上側補助梁よりも外側において、案内梁の下側に段違いに固定され、案内梁と交差する方向に伸びる下側補助梁と、スライドフレームの第１係合部に対応する第１被係合部と、スライドフレームの第２係合部に対応する第２被係合部とを備えている。そのスライドフレームの支持梁は、ベースフレームの案内梁と上側補助梁と下側補助梁に当接した状態で、ベースフレームに対して摺動可能であって、スライドフレームをベースフレームから引出して展開した状態で第１係合部と第１被係合部が係合し、スライドフレームをベースフレームに押込んで収容した状態で第２係合部と第２被係合部が係合することを特徴とする。
【０００９】
本発明のパレットは、スライドフレームをベースフレームに対して摺動させて、スライドフレームをベースフレームに押込んだり、ベースフレームから引出したりすることによって、荷物の載置面積を調整することができる。
作業者が把持梁を握ってスライドフレームをベースフレームから引出すと、スライドフレームの支持梁とベースフレームの案内梁が当接しながら、スライドフレームはベースフレームに対して摺動する。スライドフレームの第１係合部がベースフレームの第１被係合部と係合すると、スライドフレームはそれ以上引出されることがない。このようにスライドフレームを展開した状態であれば、大きな載置面積が確保され、大型の荷物をパレット上に載置することができる。
逆に作業者が把持梁を握ってスライドフレームをベースフレームに押込むと、スライドフレームの支持梁とベースフレームの案内梁が当接しながら、スライドフレームはベースフレームに対して摺動する。スライドフレームの第２係合部がベースフレームの第２被係合部と係合すると、スライドフレームはそれ以上押込まれることがない。このようにスライドフレームを収容した状態であれば、パレットは小さな載置面積となり、小型の荷物を載置する場合であっても、パレットが余計な場所をとることがない。使用済みのパレットを返却する場合、あるいは使用済みのパレットを保管する場合にも、小型のパレットとして扱うことが可能であり、余計な場所をとることがない。
【００１０】
上記のパレットでは、スライドフレームをベースフレームから容易に取り外すことが可能である。作業者はスライドフレームの第１係合部も第２係合部も係合していない状態で、把持梁が支持梁の先端に対して上昇する方向に、スライドフレームをベースフレームに対して傾斜させる。傾斜に伴ってスライドフレームの第１係合部とベースフレームの第１被係合部の高さ方向の位置関係がずれる。この状態で、傾斜したスライドフレームを支持梁の伸びる方向に沿って引出すことで、第１係合部が第１被係合部と係り合うことなく、上側補助梁と下側補助梁の間に挿入された支持梁を引き抜くことができる。このようにして、ベースフレームからスライドフレームを取り外すことができる。
上記の取外し作業は、特別な治工具を用いることなく、一人の作業者の単純な動作のみによって作業を完了することができる。またスライドフレームをベースフレームに対して傾斜させることによって、支持梁と案内梁が当接する面積は小さくなり、スライドフレームを取り外す際の摺動抵抗は小さいものとなる。従って、支持梁や案内梁が錆付いてしまった場合であっても、それほどの力をかけることなく、スライドフレームをベースフレームから取り外すことができる。さらにスライドフレームを傾斜させた状態で斜めに引き抜くため、スライドフレームの取り外しのために要する作業スペースは小さい。
【００１１】
上記のパレットでは、取り外されたスライドフレームをベースフレームへ取り付ける作業も容易に行うことができる。作業者は把持梁が支持梁の先端に対して上昇する方向にスライドフレームをベースフレームに対して傾斜させて、スライドフレームの支持梁の先端がベースフレームの上側補助梁と下側補助梁の間を通るように、スライドフレームをベースフレームに挿入する。スライドフレームを支持梁が伸びる方向に沿って挿入していき、スライドフレームの第１係合部がベースフレームの第１被係合部よりも奥へ到達した時点で、スライドフレームの傾斜をもとに戻す。このようにしてスライドフレームをベースフレームに取り付けることが可能であり、取付けられたスライドフレームはベースフレームに対して摺動することができる。この取り付け作業も、特別な治工具を用いることなく、一人の作業者の単純な動作のみによって作業を完了することができ、それほどの力をかけることなくスライドフレームをベースフレームから取り外すことが可能であり、作業に要するスペースは小さいもので済む。
【００１２】
上記のパレットにおいて、スライドフレームの支持梁は、一方の端部を把持梁の下側に段違いに固定されていることが好ましい。
このパレットによれば、作業者が把持梁を握る際に、把持梁を握った手の周囲に他の部材がない状態で、スライドフレームを押込んだり、引出したりする作業を行うことができる。作業中に手が挟まれて怪我をする事態を未然に防止することができ、作業の安全性が確保される。
【００１３】
上記のパレットにおいては、スライドフレームの把持梁に、手持ち表示を備えることがさらに好ましい。
このパレットによれば、作業者は把持梁の手持ち表示を視認してから、把持梁の手持ち表示のある部位を握って作業することができる。作業者が誤って他の部位を握って操作することを防止することができる。経験の浅い作業者であっても、危険な動作をすることが無く、安全に作業を行うことができる。
【００１４】
上記のパレットは、フレーム載置台をさらに備え、そのフレーム載置台は、ベースフレームの下側補助梁が嵌合する溝を備えるフレーム載置面と、フレーム載置面の周囲に立設され、付け根で折畳み可能である支柱とを備え、スライドフレームを収容したベースフレームをフレーム載置面に載置した状態において、折畳んだ支柱がスライドフレームの把持梁と係合し、スライドフレームの移動を規制することが望ましい。
このパレットによれば、荷役作業に使用しないパレットを倉庫等に返却して保管する場合に、折畳んだ支柱がスライドフレームの移動を規制するため、予期しないスライドフレームの飛び出しを防止することができる。パレットの周囲の作業者や設備の損傷を未然に防止することが可能であり、安全性が確保される。
【００１５】
上記のパレットが２以上のスライドフレームを備える場合、以下のような構成とすることによって、載置面積を調整する作業をさらに容易なものとすることができる。
本発明の他の１つのパレットは、２以上のスライドフレームを備える上記したパレットである。そのパレットは、ベースフレームを支点として一方のスライドフレームと他方のスライドフレームを連結するリンクをさらに備えている。そのリンクは一方のスライドフレームと他方のスライドフレームを協動させるものであって、一方のスライドフレームがベースフレームに押込まれる場合に他方のスライドフレームもベースフレームに押込まれ、一方のスライドフレームがベースフレームから引出される場合に他方のスライドフレームもベースフレームから引出されることを特徴とする。
【００１６】
このパレットによれば、一方のスライドフレームをベースフレームに押込むことによって、他方のスライドフレームもベースフレームに押込まれる。また、一方のスライドフレームをベースフレームから引出すことによって、他方のスライドフレームも引出される。
このパレットによれば、一人の作業者が、作業位置を変えることなく、一度の動作でパレットの載置面積を変更することができる。パレットの載置面積を変更するための作業を極めて容易に行うことができる。
また上記したようなリンクは、簡素な構成で実現することが可能であるから、リンクの着脱に係る作業はそれほど困難なものとはならない。従って、上記のパレットもスライドフレームの着脱を容易に行うことが可能である。
【発明の効果】
【００１７】
本発明のパレットは、スライドフレームをベースフレームに対して摺動させることで容易に載置面積を変更することが可能であって、スライドフレームをベースフレームに対して容易に着脱することが可能である。従って、スライドフレームやベースフレームが損傷した場合でも、損傷した部品のみを新たな部品と容易に交換することができる。費用と資源の無駄を省いて、効率よく荷役作業を実施することができる。
【発明を実施するための最良の形態】
【００１８】
以下、本発明を具現化した実施例について図面を参照して説明する。最初に実施例の主要な特徴を列記する。
（形態１）
載置面積が調整可能なパレットであって、ベースフレームと、ベースフレームを挟んで対向する一対のスライドフレームを備え、
(1)前記スライドフレームはそれぞれ、
(1-1)把持梁と、
(1-2)一方の端部が把持梁に固定され、把持梁の伸びる方向に対して垂直に伸び、互いに平行な２以上の支持梁と、
(1-3)支持梁に設けられた第１係合部と、
(1-4)支持梁に設けられた第２係合部を備え、
(2)前記ベースフレームは、
(2-1)前記支持梁と側面で当接し、スライドフレームの側方への移動を規制する、互いに平行な２以上の案内梁と、
(2-2)案内梁の上側に段違いに固定され、案内梁と交差する方向に伸びる上側補助梁と、
(2-3)上側補助梁よりも外側において案内梁の下側に段違いに固定され、案内梁と交差する方向に伸びる下側補助梁と、
(2-4)前記第１係合部に対応する第１被係合部と、
(2-5)前記第２係合部に対応する第２被係合部を備え、
前記支持梁は、前記案内梁と上側補助梁と下側補助梁に当接した状態で、ベースフレームに対して摺動可能であって、
スライドフレームをベースフレームから引出して展開した状態で第１係合部と第１被係合部が係合し、
スライドフレームをベースフレームに押込んで収容した状態で第２係合部と第２被係合部が係合する
ことを特徴とするパレット。
（形態２）
載置面積が調整可能なパレットであって、スライドフレームと一対のベースフレームを備え、
(1)前記スライドフレームの各々は、
(1-1)把持梁と、
(1-2)一方の端部が把持梁に固定され、把持梁の伸びる方向に対して垂直に伸び、互いに平行な２以上の支持梁と、
(1-3)支持梁に設けられた第１係合部と、
(1-4)支持梁に設けられた第２係合部を備え、
(2)前記ベースフレームは、
(2-1)前記支持梁と側面で当接し、スライドフレームの側方への移動を規制する、互いに平行な２以上の案内梁と、
(2-2)案内梁の上側に段違いに固定され、案内梁と交差する方向に伸びる上側補助梁と、
(2-3)上側補助梁よりもスライド方向外側において案内梁の下側に段違いに固定され、案内梁と交差する方向に伸びる下側補助梁と、
(2-4)前記第１係合部に対応する第１被係合部と、
(2-5)前記第２係合部に対応する第２被係合部を備え、
一方のスライドフレームの一対の支持梁は一対の案内梁の外側側面に当接し、
他方のスライドフレームの一対の支持梁は前記一対の案内梁の内側側面に当接し、
各々の支持梁は、前記案内梁の側面と上側補助梁の下面と下側補助梁の上面に当接した状態で、ベースフレームに対して摺動可能であって、
スライドフレームをベースフレームから引出して展開した状態で第１係合部と第１被係合部が係合し、
スライドフレームをベースフレームに押込んで収容した状態で第２係合部と第２被係合部が係合する
ことを特徴とするパレット。
【実施例】
【００１９】
（第１実施例）
以下、本発明を具現化した実施例について図面を参照して説明する。
図１に本実施例のパレット１０２の概要を示す。パレット１０２はベースフレーム１０４と、２つのスライドフレーム１０６ａ、１０６ｂを備えている。
スライドフレーム１０６ａ、１０６ｂは、それぞれベースフレーム１０４に対して摺動可能である。作業者がスライドフレーム１０６ａの手持ち表示部１０８ａを両手で握り、スライドフレーム１０６ａをベースフレーム１０４へ押込むと、スライドフレーム１０６ａはベースフレーム１０４に収容される。スライドフレーム１０６ｂについても、作業者が手持ち表示部１０８ｂを両手で握り、ベースフレーム１０４へ押込むと、スライドフレーム１０６ｂはベースフレーム１０４へ収容される。
図２はスライドフレーム１０６ａ、１０６ｂがベースフレーム１０４に押込まれ、収容された状態を示している。ベースフレーム１０４に収容されたスライドフレーム１０６ａ、１０６ｂは、作業者が手持ち表示部１０８ａ、１０８ｂを握ってベースフレーム１０４から引出すと、ベースフレーム１０４の外部へ展開して、図１に示す形態になる。
【００２０】
図３はスライドフレーム１０６ａとベースフレーム１０４の構成を示す。スライドフレーム１０６ｂはスライドフレーム１０６ａと同一の構成を備えているため、説明を省略する。
スライドフレーム１０６ａは、把持梁３０２と、支持梁３０４ａ、３０４ｂ、３０４ｃを備えている。
把持梁３０２は作業者が握ることが可能な断面を備える角材である。把持梁３０２は作業者の肩幅程度の間隔で配置された２つの手持ち表示１０８ａを備えている。手持ち表示１０８ａには作業者の掌の幅程度の領域に、把持梁３０２の他の部位とは異なる色が着色されている。
支持梁３０４ａ、３０４ｂ、３０４ｃは、一方の端部を把持梁３０２に固定され、把持梁３０２が伸びる方向に対して垂直な方向に伸びる角材である。把持梁３０２は支持梁３０４ａ、３０４ｂ、３０４ｃの上側に段違いに固定されている。
スライドフレーム１０６ａの支持梁３０４ｂ、３０４ｃの先端近傍には、第１係合部３０６が設けられている。本実施例のパレット１０２においては、第１係合部３０６は支持梁３０４ｂ、３０４ｃの間に渡された角材である。第１係合部３０６はベースフレーム１０４の第１被係合部３５８ａと係り合って、スライドフレーム１０６ａが引出される方向の移動を規制する。
スライドフレーム１０６ａの支持梁３０４ａ、３０４ｂ、３０４ｃの上側には、段違いに第２係合部に相当する係合梁３０８が設けられている。係合梁３０８はベースフレーム１０４の上側補助梁３５４ａと当接して、スライドフレーム１０６ａが押込まれる方向の移動を規制する。
【００２１】
ベースフレーム１０４は案内梁３５２ａ、３５２ｂ、３５２ｃを備えている。案内梁３５２ａ、３５２ｂ、３５２ｃは、スライドフレーム１０６ａの支持梁３０４ａ、３０４ｂ、３０４ｃと同一の断面を備える角材である。ベースフレーム１０４の案内梁３５２ａ、３５２ｂ、３５２ｃは、スライドフレーム１０６ａの支持梁３０４ａ、３０４ｂ、３０４ｃと側面で当接し、なおかつ図３では図示されないスライドフレーム１０６ｂの支持梁とも側面で当接するように、その位置を調整されている。
一対の案内梁３５２ａ、３５２ｂは、その外側側面でスライドフレーム１０６ａの一対の支持梁３０４ａ、３０４ｂと当接する。さらにその一対の案内梁３５２ａ、３５２ｂは、その内側側面で図３では図示されないスライドフレーム１０６ｂの一対の支持梁３０４ｂ、３０４ｃと当接する。上記した案内梁と支持梁の当接によって、スライドフレーム１０６ａ、１０６ｂは、ベースフレーム１０４に対して側方への移動を規制される。
一対の案内梁３５２ｂ、３５２ｃは、その内側側面でスライドフレーム１０６ａの一対の支持梁３０４ｂ、３０４ｃと当接する。さらにその一対の案内梁３５２ｂ、３５２ｃは、その外側側面で図３では図示されないスライドフレーム１０６ｂの一対の支持梁３０４ａ、３０４ｂと当接する。上記した案内梁と支持梁の当接によっても、スライドフレーム１０６ａ、１０６ｂは、ベースフレーム１０４に対して側方への移動を規制される。
上記のように、ベースフレーム１０４の一対の案内梁３５２ａ、３５２ｂは、一方のスライドフレーム１０６ａの一対の支持梁３０４ａ、３０４ｂと外側側面で当接し、他方のスライドフレーム１０６ｂの一対の支持梁３０４ｂ、３０４ｃと内側側面で当接している。従って、スライドフレーム１０６ａ、１０６ｂを摺動させた場合でも、スライドフレーム１０６ａの支持梁３０４ａ、３０４ｂと、スライドフレーム１０６ｂの支持梁３０４ｂ、３０４ｃは、互いに干渉することがない。またベースフレーム１０４の一対の案内梁３５２ｂ、３５２ｃは、一方のスライドフレーム１０６ａの一対の支持梁３０４ｂ、３０４ｃと内側側面で当接し、他方のスライドフレーム１０６ｂの一対の支持梁３０４ａ、３０４ｂと外側側面で当接している。従って、スライドフレーム１０６ａ、１０６ｂを摺動させた場合でも、スライドフレーム１０６ａの支持梁３０４ｂ、３０４ｃと、スライドフレーム１０６ｂの支持梁３０４ａと３０４ｂは、互いに干渉することがない。
【００２２】
ベースフレーム１０４の案内梁３５２ａ、３５２ｂ、３５２ｃの上側には、段違いに上側補助梁３５４ａが設けられている。また案内梁３５２ａ、３５２ｂ、３５２ｃの下側には、段違いに下側補助梁３５６ａが設けられている。下側補助梁３５６ａは、上側補助梁３５４ａよりもスライド方向外側に設けられている。
上側補助梁３５４ａには、第１被係合部である、下方に向いた突起３５８ａが設けられている。突起３５８ａはスライドフレーム１０６ａの第１係合部３０６と係合して、スライドフレーム１０６ａが引出される方向の移動を規制する。
また上側補助梁３５４ａは第２被係合部としても機能する。上側補助梁３５４ａは、側面でスライドフレーム１０６ａの係合梁３０８と係合し、スライドフレーム１０６ａが押込まれる方向の移動を規制する。
またベースフレーム１０４は、スライドフレーム１０６ｂに対応して、上側補助梁３５４ｂ、下側補助梁３５６ｂ、突起３５８ｂを備えている。これらの構成は、スライドフレーム１０６ａに対応する、上側補助梁３５４ａ、下側補助梁３５６ａ、突起３５８ａと同様であるから、説明を略す。
【００２３】
スライドフレーム１０６ａをベースフレーム１０４へ組み付ける場合について説明する。作業者はスライドフレーム１０６ａの手持ち表示１０８ａのある部位を両手で握り、スライドフレーム１０６ａをベースフレーム１０４に対して、把持梁３０２が上昇する方向に傾斜させた状態で保持する。そして、支持梁３０４ａ、３０４ｂ、３０４ｃの先端が、ベースフレーム１０４の上側補助梁３５４ａと下側補助梁３５６ａの間を通るように、スライドフレーム１０６ａをベースフレーム１０４に挿入する。スライドフレーム１０６ａの第１係合部３０６がベースフレーム１０４の第１被係合部３５８ａより奥にまで到達した時点で、スライドフレーム１０６ａの傾斜を緩めて、ベースフレーム１０４に対して平行な状態まで戻す。これによって、スライドフレーム１０６ａはベースフレーム１０４に組み付けられる。スライドフレーム１０６ｂについても、スライドフレーム１０６ａと同様にしてベースフレーム１０４に組み付けられる。
【００２４】
スライドフレーム１０６ａをベースフレーム１０４へ組み付けると、スライドフレーム１０６ａはベースフレーム１０４に対して摺動させることができる。作業者はスライドフレーム１０６ａをベースフレーム１０４へ押込んで収容することもできるし、スライドフレーム１０６ａをベースフレーム１０４から引出して展開することもできる。
【００２５】
スライドフレーム１０６ａをベースフレーム１０４へ組み付けた状態で、スライドフレーム１０６ａをベースフレーム１０４へ押込むと、スライドフレーム１０６ａの支持梁３０４ａ、３０４ｂ、３０４ｃの側面とベースフレーム１０４の案内梁３５２ａ、３５２ｂ、３５２ｃの側面が摺れ合いながら、スライドフレーム１０６ａはベースフレーム１０４の内部へ向けて移動していく。スライドフレーム１０６ａの係合梁３０８と、ベースフレーム１０４の上側補助梁３５４ａが係合すると、スライドフレーム１０６ａはそれ以上押込まれることがない。このようにして、図２の如くスライドフレーム１０６ａはベースフレーム１０４へ収容される。スライドフレーム１０６ｂも、同様にして、ベースフレーム１０４へ収容される。スライドフレーム１０６ａ、１０６ｂをベースフレーム１０４へ収容した状態で、パレット１０２は上部に荷物を載置することができる。
【００２６】
スライドフレーム１０６ａをベースフレーム１０４へ組み付けた状態で、スライドフレーム１０６ａをベースフレーム１０４から引出すと、スライドフレーム１０６ａの支持梁３０４ａ、３０４ｂ、３０４ｃの側面とベースフレーム１０４の案内梁３５２ａ、３５２ｂ、３５２ｃの側面が摺れ合いながら、スライドフレーム１０６ａはベースフレーム１０４の外部へ向けて移動していく。スライドフレーム１０６ａの第１係合部３０６と、ベースフレーム１０４の第１被係合部３５８ａが係り合うと、スライドフレーム１０６ａはそれ以上引出されることがない。このようにして、図１の如くスライドフレーム１０６ａはベースフレーム１０４から展開される。スライドフレーム１０６ｂについても、同様にして、ベースフレーム１０４から展開される。スライドフレーム１０６ａ、１０６ｂをベースフレーム１０４から展開した状態で、パレット１０２は上部に荷物を載置することができる。スライドフレーム１０６ａは、支持梁３０４ａ、３０４ｂ、３０４ｃをベースフレーム１０４の下側補助梁３５６ａと上側補助梁３５４ａを支点として片持ち支持されており、上部に載置された荷物を安定して保持することができる。スライドフレーム１０６ｂも同様に、上部に載置された荷物を安定して保持することができる。
【００２７】
スライドフレーム１０６ａをベースフレーム１０４から取り外す場合について説明する。スライドフレーム１０６ａがベースフレーム１０４に対して押込む方向にも引出す方向にも摺動可能な状態で、スライドフレーム１０６ａの把持梁３０２を上側へ持ち上げると、スライドフレーム１０６ａをベースフレーム１０４に対して傾斜させることができる。傾斜したスライドフレーム１０６ａを支持梁３０４ａ、３０４ｂ、３０４ｃに沿う方向に引出していくと、スライドフレーム１０６ａの支持梁３０４ａ、３０４ｂ、３０４ｃは上側補助梁３５４ａと下側補助梁３５６ａの間を通って引き抜かれ、スライドフレーム１０６ａはベースフレーム１０４から取り外される。スライドフレーム１０６ｂについても同様である。
【００２８】
図４はスライドフレーム１０６ａ、１０６ｂを収容したベースフレーム１０４が、フレーム載置台４０２に載置された状態を示している。
フレーム載置台４０２は、ベースフレーム１０４を載置可能なフレーム載置面４０４と、支柱４０６、４０８、４１０と、フォーク挿入口４１２を備えている。
フレーム載置面４０２は複数の凹状溝４１４を備えている。ベースフレーム１０４をフレーム載置面４０４に載置すると、フレーム載置面４０２の凹状溝４１４にベースフレーム１０４の下側補助梁３５６ａ、３５６ｂが嵌合して、ベースフレーム１０４はフレーム載置面４０２に対する移動を規制される。
支柱４０６、４０８、４１０は、フレーム載置面４０２の周囲に立設されており、付け根で折畳みが可能である。図４では立設した状態を２点鎖線で示し、折畳んだ状態を実線で示している。パレット１０２上に荷物を載置する場合、支柱４０６、４０８、４１０は折畳むことなく、立設された状態で使用され、パレット１０２上に載置された荷物の横方向の移動を防止する。荷物が載置されたパレット１０２は、フォーク挿入口４１２を介して、フォークリフト等によって搬送される。
パレット１０２が荷物を載置しておらず、スライドフレーム１０６ａ、１０６ｂがベースフレーム１０４に収容されている場合、支柱４０６、４０８、４１０を折畳むことができる。スライドフレーム１０６ａ、１０６ｂを収容したベースフレーム１０４を載置した状態で支柱４０６を折畳むと、支柱４０６はスライドフレーム１０６ａ、１０６ｂの把持梁３０２の外側側面と係合して、スライドフレーム１０６ａ、１０６ｂの移動を規制する。この状態では支柱４０６がストッパの役割を果たし、スライドフレーム１０６ａ、１０６ｂが不意に外部へ飛び出すことが防止される。荷物を載置していない状態のパレット１０２を、安全に持ち運びすることができる。
【００２９】
本実施例のパレット１０２によれば、スライドフレーム１０６ａ、１０６ｂをベースフレーム１０４に対して、押込んだり引出したりすることによって、載置面積を調整することができる。パレット１０２を小さな載置面積とする場合には、作業者はスライドフレーム１０６ａ、１０６ｂをベースフレーム１０４へ押込んで、スライドフレーム１０６ａ、１０６ｂがベースフレーム１０４に収容された状態とする。パレット１０２を大きな載置面積とする場合には、作業者はスライドフレーム１０６ａ、１０６ｂをベースフレーム１０４から引出して、スライドフレーム１０６ａ、１０６ｂがベースフレーム１０４から展開した状態とする。上記した載置面積の変更は、作業者が特別な治工具を用いることなく、容易に行うことができる。
【００３０】
本実施例のパレット１０２は、作業者が特別な治工具を用いることなく、容易にスライドフレーム１０６ａ、１０６ｂの着脱をすることができる。これによって、例えばフォークリフト等による運搬作業の際にスライドフレーム１０６ａが損傷した場合であっても、スライドフレーム１０６ａのみを新たな部品と交換して、荷役作業を継続することができる。ベースフレーム１０４が損傷した場合にも、スライドフレーム１０６ａ、１０６ｂを取り外し、ベースフレーム１０４のみを新たな部品と交換して、荷役作業を継続することができる。
【００３１】
本実施例のパレット１０２によれば、作業者がスライドフレーム１０６ａ、１０６ｂの手持ち表示１０８ａ、１０８ｂを握ってスライドフレーム１０６ａ、１０６ｂを押込んだり引出したりしている間、作業者の手の周囲には空間が確保されており、部材間で手を挟まれることがない。経験の浅い作業者であっても、怪我をすることなく安全にパレットの展開や収容をすることができる。
【００３２】
（第２実施例）
本発明の他の１つの実施例を説明する。
図５は本実施例のパレット５０２の概要を示している。本実施例のパレット５０２は、フレーム載置台（図示されない）と、ベースフレーム５０４と、スライドフレーム５０６ａ、５０６ｂとを備えている。スライドフレーム５０６ａ、５０６ｂは、それぞれベースフレーム５０４に対して摺動可能である。
【００３３】
スライドフレーム５０６ａは、把持梁５０８と、支持梁５１０ａ、５１０ｂ、５１０ｃ、５１０ｄを備えている。
把持梁５０８は作業者が握ることが可能な断面形状を備える角材であって、手持ち表示５０９ａを備えている。
支持梁５１０ａ、５１０ｂ、５１０ｃ、５１０ｄは互いに平行な角材であって、一方の端部を把持梁５０８の下側に段違いに固定されている。
支持梁５１０ａ、５１０ｄは、その先端近傍に第１係合部５１２ａを備えている。第１係合部５１２ａは、支持梁５１０ａ、５１０ｄの上面に配置された、上方を向く突起である。第１係合部５１２ａは、ベースフレーム５０４の上側補助梁５５４ａと係合して、スライドフレーム５０６ａがベースフレーム５０４から引出される方向の移動を規制する。
また支持梁５１０ａ、５１０ｄは、第１係合部５１２ａと把持梁５０８の間に、第２係合部５１４ａを備えている。第２係合部５１４ａは、支持梁５１０ａ、５１０ｄの上面に配置された、上方を向く突起である。第２係合部５１４ａは、ベースフレーム５０４の上側補助梁５５４ａと係合して、スライドフレーム５０６ａがベースフレーム５０４へ押込まれる方向の移動を規制する。
スライドフレーム５０６ｂは、スライドフレーム５０６ａと同様の構成を備えているから、説明を省略する。
【００３４】
ベースフレーム５０４は、案内梁５５２ａ、５５２ｂ、５５２ｃ、５５２ｄ、５５２ｅ、５５２ｆを備えている。案内梁５５２ａ、５５２ｂ、５５２ｃ、５５２ｄ、５５２ｅ、５５２ｆは互いに平行な角材であって、スライドフレーム５０６ａの支持梁５１０ａ、５１０ｂ、５１０ｃ、５１０ｄ、およびスライドフレーム５０６ｂの支持梁５１１ａ、５１１ｂ、５１１ｃ、５１１ｄと側面で当接するように、その位置と断面形状を調整されている。
ベースフレーム５０４は、案内梁５５２ａ、５５２ｂ、５５２ｃ、５５２ｄ、５５２ｅ、５５２ｆの上部に、上側補助梁５５４ａ、５５４ｂを備えている。またベースフレーム５０４は、案内梁５５２ａ、５５２ｂ、５５２ｃ、５５２ｄ、５５２ｅ、５５２ｆの下側に、下側補助梁５５６ａ、５５６ｂを備えている。
上側補助梁５５４ａは、スライドフレーム５０６ａの第１係合部５１２ａと係合して、スライドフレーム５０６ａを引出す方向の移動を規制する。同様に、上側補助梁５５４ｂは、スライドフレーム５０６ｂの第１係合部５１２ｂと係合して、スライドフレーム５０６ｂを引出す方向の移動を規制する。
さらに上側補助梁５５４ａは、スライドフレーム５０６ａの第２係合部５１４ａと係合して、スライドフレーム５０６ａを押込む方向の移動も規制する。同様に、上側補助梁５５４ｂは、スライドフレーム５０６ｂの第２係合部５１４ｂと係合して、スライドフレーム５０６ｂを押込む方向の移動を規制する。
ベースフレーム５０４は、下側補助梁５５６ａ、５５６ｂをフレーム載置台（図示されない）の凹状溝に嵌合することで、その移動を規制されている。
【００３５】
スライドフレーム５０６ａは、支持梁５１０ａ、５１０ｂ、５１０ｃ、５１０ｄがベースフレーム５０４の案内梁５５２ａ、５５２ｂ、５５２ｃ、５５２ｄ、５５２ｅ、５５２ｆと側面で当接した状態で、ベースフレーム５０４に対して摺動可能である。スライドフレーム５０６ａは、ベースフレーム５０４の下側補助梁５５６ａと上側補助梁５５４ａを支点として片持ちで保持されている。
スライドフレーム５０６ａをベースフレーム５０４へ押込んでいくと、図２に示すように、第２係合部５１４ａが上側補助梁５５４ａと係合して、スライドフレーム５０６ａはベースフレーム５０４に収容された状態となる。
またスライドフレーム５０６ａをベースフレーム５０４から引出していくと、図１に示すように、第１係合部５１２ａが上側補助梁５５４ａと係合して、スライドフレーム５０６ａはベースフレーム５０４から展開された状態となる。
同様に、スライドフレーム５０６ｂもベースフレーム５０４に対して摺動可能である。スライドフレーム５０６ｂを押込んでいくと、スライドフレーム５０６ｂはベースフレーム５０４に収容された状態となり、スライドフレーム５０６ｂを引出していくと、スライドフレーム５０６ｂはベースフレーム５０４から展開された状態となる。
【００３６】
図１に示すように、スライドフレーム５０６ａ、５０６ｂは、ベースフレーム５０４を支点とするリンク５６０によって互いに連結されている。
リンク５６０は２つの線状孔５６６ａ、５６６ｂを備える板状部材である。スライドフレーム５０６ａの支持梁５１０ａ、５１０ｂに配置されたピン５１６ａは、リンク５６０の線状孔５６６ａに挿入されている。スライドフレーム５０６ａはリンク５６０に揺動可能かつ線状孔５６６ａの伸びる方向に移動可能に連結されている。スライドフレーム５０６ｂもリンク５６０に揺動可能かつ線状孔５６６ｂの伸びる方向に移動可能に連結されている。
リンク５６０の中心は、ベースフレーム５０４の中央上部に設けられた中央梁５６２に配置されたピン５６４に揺動可能に連結されている。
【００３７】
作業者が一方のスライドフレーム５０６ａをベースフレーム５０４から引出すと、リンク５６０を介して他方のスライドフレーム５０６ｂにもベースフレーム５０４から引出す方向の荷重が付与され、スライドフレーム５０６ｂも引出される。
また作業者が一方のスライドフレーム５０６ａをベースフレーム５０４に押込むと、リンク５６０を介して他方のスライドフレーム５０６ｂにもベースフレーム５０４に押込む方向の荷重が付与され、スライドフレーム５０６ｂも押込まれる。
【００３８】
第１実施例のパレットでは、載置面積を調整する場合に、スライドフレームごとに押込んだり引出したりする必要があり、作業者はその都度作業位置を変更して、それぞれのスライドフレームを押込んだり、引出したりしなければならなかった。
本実施例のパレットによれば、作業者は作業位置を変えることなく、一回の動作によって、両方のスライドフレームを押込んだり、引出したりすることができる。パレットの載置面積を容易に変更することが可能となり、荷役に係る作業性が飛躍的に向上する。
【００３９】
本実施例のパレット５０２は、リンク５６０はベースフレーム５０４およびスライドフレーム５０６ａ、５０６ｂの上部に配置されており、容易に着脱することができる。リンク５６０を取り外した状態では、第１実施例のパレット１０２と同様、スライドフレーム５０６をベースフレーム５０４に対して容易に着脱することができる。
【００４０】
以上、本発明の実施形態について詳細に説明したが、これらは例示に過ぎず、特許請求の範囲を限定するものではない。特許請求の範囲に記載の技術には、以上に例示した具体例を様々に変形、変更したものが含まれる。
また、本明細書または図面に説明した技術要素は、単独であるいは各種の組み合わせによって技術的有用性を発揮するものであり、出願時請求項記載の組み合わせに限定されるものではない。また、本明細書または図面に例示した技術は複数目的を同時に達成するものであり、そのうちの一つの目的を達成すること自体で技術的有用性を持つものである。
【図面の簡単な説明】
【００４１】
【図１】図１はスライドフレーム１０６ａ、１０６ｂがベースフレーム１０４から展開されたパレット１０２を示す図である。（第１実施例）
【図２】図２はスライドフレーム１０６ａ、１０６ｂがベースフレーム１０４に収容されたパレット１０２を示す図である。（第１実施例）
【図３】図３はスライドフレーム１０６ａとベースフレーム１０４を別個に示す図である。（第１実施例）
【図４】図４はスライドフレーム１０６ａ、１０６ｂを収容したベースフレーム１０４がフレーム載置台４０２に載置された状態のパレット１０２を示す図である。（第１実施例）
【図５】図５はベースフレーム５０４を支点としてリンク５６０を介して結合されたスライドフレーム５０６ａ、５０６ｂが展開されたパレット５０２を示す図である。（第２実施例）
【図６】図６はベースフレーム５０４を支点としてリンク５６０を介して結合されたスライドフレーム５０６ａ、５０６ｂが収容されたパレット５０２を示す図である。（第２実施例）
【符号の説明】
【００４２】
１０２・・・パレット
１０４・・・ベースフレーム
１０６ａ、１０６ｂ・・・スライドフレーム
１０８ａ、１０８ｂ・・・手持ち表示
３０２・・・把持梁
３０４ａ、３０４ｂ、３０４ｃ・・・支持梁
３０６・・・第１係合部
３０８・・・係合梁（第２係合部）
３５２ａ、３５２ｂ、３５２ｃ・・・案内梁
３５４ａ、３５４ｂ・・・上側補助梁（第２被係合部を兼ねる）
３５６ａ、３５６ｂ・・・下側補助梁
３５８ａ、３５８ｂ・・・突起（第１被係合部）
４０２・・・フレーム載置台
４０４・・・フレーム載置面
４０６、４０８、４１０・・・支柱
４１２・・・フォーク挿入口
４１４・・・凹状溝
５０２・・・パレット
５０４・・・ベースフレーム
５０６ａ、５０６ｂ・・・スライドフレーム
５０８ａ、５０８ｂ・・・把持梁
５０９ａ、５０９ｂ・・・手持ち表示
５１０ａ、５１０ｂ、５１０ｃ、５１０ｄ、５１１ａ、５１１ｂ、５１１ｃ、５１１ｄ・・・支持梁
５１２ａ、５１２ｂ・・・突起（第１係合部）
５１４ａ、５１４ｂ・・・突起（第２係合部）
５１６ａ、５１６ｂ・・・ピン
５５２ａ、５５２ｂ、５５２ｃ、５５２ｄ、５５２ｅ、５５２ｆ・・・案内梁
５５４ａ、５５４ｂ・・・上側補助梁（第１被係合部、第２被係合部を兼ねる）
５５６ａ、５５６ｂ・・・下側補助梁
５６０・・・リンク
５６２・・・中央梁
５６４・・・ピン
５６６ａ、５６６ｂ・・・線状孔
【図１】
2006282205.tif 000003
【図２】
2006282205.tif 000004
【図３】
2006282205.tif 000005
【図４】
2006282205.tif 000006
【図５】
2006282205.tif 000007
【図６】
2006282205.tif 000008